(57)【要約】【課題】  バイメタル片及び引き外し板の占有空間を小さくし、更なる薄型化を可能とする回路遮断器を提供する。【解決手段】  バイメタル片９は電源側端子１の端子金具３０に取り付けられ、基部を端子金具３０に固着して先端を前方に向けて伸張し、過電流が発生したら先端が上方に反るよう配置した。引き外し板１２は、縦方向の適宜部位にバイメタル片９の先端が係合する第１係合部２１を複数備え、バイメタル片９の過電流検知動作を受けて上方にスライドする。【選択図】  図１
2008123807.tif 000002
【特許請求の範囲】
【請求項１】
背面に複数の電源側端子、前面に複数の負荷側端子を夫々縦方向に整列配置し、上面に前記電源側端子と前記負荷側端子の間の電路に設けた開閉接点を開閉操作する操作ハンドルを配置した遮断器ケース内に、前記開閉接点を開動作させるためのセパレータと、過電流の発生を検知するためのバイメタル片と、ラッチ機構を備えて過電流等の電路異常が発生したらラッチを解除し、前記セパレータを所定方向へ付勢移動させて前記開閉接点を開動作させる開閉機構部と、前記バイメタル片の過電流検知動作を前記開閉機構部に伝達する引き外し板とを備えた回路遮断器において、
前記バイメタル片は電源側端子の端子金具に取り付けられ、基部を端子金具に固着して先端を前方に向けて伸張したことを特徴とする回路遮断器。
【請求項２】
バイメタル片は過電流が発生したら先端が上方に変形するよう端子金具に取り付けられ、引き外し板は、縦方向の適宜部位にバイメタル片の先端が係合する係合部を複数備えて複数のバイメタル片の係合部を有し、何れか１つのバイメタル片の過電流検知動作を受けて上方にスライドする請求項１記載の回路遮断器。
【請求項３】
遮断器ケースの側面に、引き外し板のスライドを案内する案内手段を設けた請求項２記載の回路遮断器。
【発明の詳細な説明】
【技術分野】
【０００１】
本発明は回路遮断器に関し、特に電源側端子及び負荷側端子を縦に配置して横幅を抑制した形状の回路遮断器に関する。
【背景技術】
【０００２】
前後面に負荷側端子及び電源側端子を夫々配置した回路遮断器の幅方向の厚みを抑制するために、電源側端子を導電バーを差し込み接続するプラグイン式とすることで縦に配置した構成の回路遮断器がある（例えば、特許文献１参照）。また、本出願人は電源側端子に加えて負荷側端子も縦に配置して幅方向の薄型化を図った回路遮断器を提案した（特許文献２参照）。
【特許文献１】特開２００１−３５３４１号公報
【特許文献２】特開２００２−２１６６１０号公報
【発明の開示】
【発明が解決しようとする課題】
【０００３】
しかしながら、薄型に形成するために電源側端子及び負荷側端子の双方を縦に配置しても、過電流を検知するためのバイメタル片の占有空間は大きいし、バイメタル片の過電流検知動作を受けて開閉機構部を遮断動作させる引き外し板は個々のバイメタル片に対して設置され、これも大きな占有空間を占めていた。
そこで、本発明はこのような問題点に鑑み、バイメタル片及び引き外し板の占有空間を小さくし、更なる薄型化を可能とする回路遮断器を提供することを目的とする。
【課題を解決するための手段】
【０００４】
上記課題を解決する為に、請求項１の発明は、背面に複数の電源側端子、前面に複数の負荷側端子を夫々縦方向に整列配置し、上面に前記電源側端子と前記負荷側端子の間の電路に設けた開閉接点を開閉操作する操作ハンドルを配置した遮断器ケース内に、前記開閉接点を開動作させるためのセパレータと、過電流の発生を検知するためのバイメタル片と、ラッチ機構を備えて過電流等の電路異常が発生したらラッチを解除し、前記セパレータを所定方向へ付勢移動させて前記開閉接点を開動作させる開閉機構部と、前記バイメタル片の過電流検知動作を前記開閉機構部に伝達する引き外し板とを備えた回路遮断器において、前記バイメタル片は電源側端子の端子金具に取り付けられ、基部を端子金具に固着して先端を前方に向けて伸張したことを特徴とする。
この構成によれば、バイメタル片は縦に配列した電源側端子に対して直交する前方に向けて設置されるので、個々の電源側端子に設けられたバイメタル片同士は前方に向けて並行に、且つ縦に配列される。よって、交差するようなことが無いし、左右に隣接することもなく、バイメタル片の占有空間を最小にできる。
【０００５】
請求項２の発明は、請求項１に記載の発明において、バイメタル片は過電流が発生したら先端が上方に変形するよう端子金具に取り付けられ、引き外し板は、縦方向の適宜部位にバイメタル片の先端が係合する係合部を複数備えて複数のバイメタル片の係合部を有し、何れか１つのバイメタル片の過電流検知動作を受けて上方にスライドする請求項１記載の回路遮断器。
この構成によれば、複数のバイメタル片に対して上下方向に移動する引き外し板１つで対処でき、引き外し板の設置空間を最小にできる。
【０００６】
請求項３の発明は、請求項２に記載の発明において、遮断器ケースの側面に、引き外し板のスライドを案内する案内手段を設けたことを特徴とする。
この構成によれば、引き外し板はケース自体に案内されるので、別途ガイド部材を必要としない。
【発明の効果】
【０００７】
本発明によれば、バイメタル片は縦に配列した電源側端子に対して直交する前方に向けて設置されるので、個々の電源側端子に設けられたバイメタル片同士は前方に向けて並行に、且つ縦に配列される。よって、交差するようなことが無いし、左右に隣接することもなく、バイメタル片の占有空間を最小にできる。
また、バイメタル片は上方に変形するので、複数のバイメタル片に対して上下方向に移動する引き外し板１つで対処でき、引き外し板の設置空間を最小にできる。
【発明を実施するための最良の形態】
【０００８】
以下、本発明を具体化した実施の形態を、図面に基づいて詳細に説明する。図１〜図５は本発明に係る回路遮断器の一例を示し、図１は遮断器オン状態の右側面図、図２は遮断器トリップ状態の右側面図、図３は遮断器オフ状態の右側面図、図４は遮断器オン状態の斜視図、図５は後方から見た斜視図であり、単相３線式電路に設置する回路遮断器の構成を示している。何れも、左右ケースから成る遮断器ケースのうち右ケースを外した状態を示し、図５は、遮断器ケースを開けて引き外し板を分離した状態を示している。
【０００９】
各図において、１（１ａ，１ｂ，１ｃ）は電源側端子、２（２ａ，２ｂ，２ｃ）は負荷側端子であり、電源側端子１及び負荷側端子２は、縦に一直線上に整列配置されている。また、３は電源側端子１から負荷側端子２に至る電路をオン／オフ操作する操作ハンドル、４は漏電を検出するための零相変流器、５は開閉接点（図示せず）を開動作させて電路を遮断るためのセパレータ、６はラッチ機構を備えて漏電や過電流等の電路異常が発生した際にセパレータ５をスライドさせて開閉接点を開動作させる開閉機構部、７は電磁引き外し装置、８は漏電が発生したら電磁引き外し装置７を引き外し動作させるための回路を組み付けたプリント基板、９は過電流を検知するバイメタル片、１０は短絡を検知する可動電磁片、１２はバイメタル片９及び可動電磁片１０更には電磁引き外し装置７の動作を受けて開閉機構部６を操作して遮断動作させる引き外し板である。
【００１０】
尚、遮断器ケース１５は図５に示すように、左ケース１５ａと、この左ケース１５ａとほぼ対称に形成された右ケース１５ｂとで構成されている。また、図４において中央の負荷側端子２ｂは閉塞部材１６により閉塞された状態を示しているが、このように使用しない端子は施蓋され塵等が侵入しないよう構成されている。
【００１１】
電源側端子１は、上部が中性極端子１ａ、中央及び下部端子が電圧極端子１ｂ，１ｃであり、略Ｃ字状の端子金具を有し、分電盤内に配設された導体バー（図示せず）を挿入するだけで接続されるプラグイン式端子として形成されている。
一方、負荷側端子２は、中央の端子が中性極端子２ｂ、上部及び下部の端子が電圧極端子２ａ，２ｃであり、電線を挿入するだけで接続される速結端子で形成されている。
【００１２】
セパレータ５は筒状に形成され、負荷側端子２を設けた遮断器ケース１５の前面に平行に設置され、個々の負荷側端子２の端子金具１７から延設した固定接点１８（図１に示す。）を収容すると共に、この固定接点に合わせて３つの可動接点１９（図１に示す。）が内部に設けられ、上部にセパレータ５を上方に移動させて遮断動作させるための開閉機構部６が一体に形成されている。そして、遮断器ケース１５との間に配置されたコイルバネ２０により、常時セパレータ５の長手方向上方に付勢されている。尚、開閉接点はこの固定接点１８と可動接点１９とで構成されている。
【００１３】
引き外し板１２は、遮断器ケース１５内の下部から上部開閉機構部６に至る長さを有し、図５に示すように下部にバイメタル片９に係合する第１係合部２１，２１、可動電磁片１０に係合する第２係合部２２，２２、中央部に電磁引き外し装置７に係合する第３係合部２３、上端に開閉機構部６に係合して遮断動作させるための遮断操作突起２４を備えている。
【００１４】
この引き外し板１２は、電源側端子１を配置した遮断器ケース１５の背面に並行する上下にスライドするよう配置され、図６の右ケースの内面図に示すように、右ケース１５ｂには引き外し板１２の移動を案内する案内突起２７（案内手段）、前後から挟持して案内する挟持壁２８（案内手段）が形成されている。一方、引き外し板１２には案内突起２７に係合する案内溝２９が形成されている。図７は、この右ケース１５ｂに引き外し板１２を組み付けた状態を示している。（ａ）は通電状態の位置、（ｂ）は遮断動作時の位置を示し、何れも引き外し板１２にハッチングを付して分かり易くしてある。
こうして、案内手段によりスムーズにスライド可能に配置される引き外し板１２は、遮断器ケース１５との間に設けたコイルバネ２５により下方に付勢されて配置される。
【００１５】
バイメタル片９は板状に形成され、電源側端子１の２つの電圧極端子１ｂ，１ｃに設けられた端子金具３０から略Ｓ字状に延びた連結片３０ａに一端が固着され、前方に延ばしたように配置されている。そして、先端は上方に折り曲げられ、溶接した可撓銅線３１を引き出すための空間が下方に形成されている。このバイメタル片９は、電路に過電流が流れると熱変形して先端が上方に反るよう形成され、反ることで引き外し板１２の第１係合部２１に係合する。
また、可動電磁片１０は連結片３０ａの途中に組み付けられ、短絡電流が流れると、可動電磁片１０が回動動作し、先端が上方に移動する。この動作により先端が引き外し板１２の第２係合部２２に係合する。
【００１６】
このように形成された回路遮断器は、以下のように動作する。まず、図３に示すオフ状態では、セパレータ５はコイルバネ２０により付勢されて上方にスライドした状態にあり、開閉接点は開状態となっている。即ち、負荷側端子２は電源側端子１から開放された状態にある。この状態から操作ハンドル３を後方に回動すると、操作ハンドル３とセパレータ５の間に設けたリンク手段によりセパレータ５が押圧されて長手方向の軸に沿って下方にスライドする。また、セパレータ５に一体化されている開閉機構部６も移動してラッチ状態となる。
【００１７】
こうして操作ハンドル３の回動を最終位置（ハンドルが水平になる位置）まで続けると、開閉接点は図１の閉状態（オン状態）となり、負荷側端子２と電源側端子１の間の電路は接続される。そして、このときコイルバネ２０によりセパレータ５は上方に付勢された状態にあるが、このオン状態はオフ操作或いは開閉機構部９のラッチが解除されない限り（トリップ動作しない限り）保持される。また、このとき引き外し板１２は図７（ａ）に示す状態となる。
【００１８】
この通電状態で、電路に過電流が流れて２つの電源側端子１ｂ，１ｃに設けたバイメタル片９，９の内の少なくとも一方が熱変形して反ると、引き外し板１２の第１係合部２１にバイメタル片９の先端が当接し、引き外し板１２を上方へスライドさせる（図７（ｂ）に示す状態）。このスライドにより、引き外し板１２の上端である遮断操作突起２４が開閉機構部６に係合してラッチ状態が解除されトリップ動作し、セパレータ５は上方へスライドする。こうして遮断動作し開閉接点は開動作する。
【００１９】
また、電路に短絡電流が流れた場合は、短絡電流を受けて２つの可動電磁片１０，１０の内の少なくとも一方が回動作する。この動作で引き外し板１２の第２係合部２２に係合し、引き外し板１２を上方にスライドさせる。その後の動作は、バイメタル片９の動作の場合と同様に開閉機構部６のラッチが解除されてトリップ動作し、セパレータ５がスライドして開閉接点が開動作する。
【００２０】
更に、漏電が発生した場合は、零相変流器４がそれを検出して電磁引き外し装置７のプランジャが引き込み動作する。この動作を受けて引き外し板１２の第３係合部２３に係合手段（図示せず）が係合し、引き外し板１２は上方へスライドする。その後の動作は、バイメタル片９や可動電磁片１０の場合と同様であり、トリップ動作して開閉接点が開動作する。こうして、過電流、短絡電流、更には漏電が発生した際に遮断動作を行う。
【００２１】
このように、バイメタル片は縦に配列した電源側端子に対して直交する前方に向けて設置されるので、個々の電源側端子に設けられたバイメタル片同士は前方に向けて並行に、且つ縦に配列される。よって、交差するようなことが無いし、左右に隣接することもなく、バイメタル片の占有空間を最小にできる。
また、電源側端子の端子配列に並行する上下方向に１つの引き外し板を配置し、複数のバイメタル片の係合部を設けるので、僅かな設置空間で済む。更にスライド方向も上下方向なため前後左右方向に移動空間を必要としない。
また、引き外し板は遮断器ケース自体に案内されるので、別途ガイド部材を必要としない。
【００２２】
尚、上記実施形態では、過電流遮断機構、短絡遮断機構に加えて漏電遮断機構を備え、全てを１つの引き外し板で対処する回路遮断器を説明したが、漏電遮断機構は無くても良い。また、単相３線式電路の回路遮断器について説明したが、この構成に限定するものでなく、単相２線式電路や三相電路に使用する回路遮断器に対しても本発明の構成は容易に適用できる。
【図面の簡単な説明】
【００２３】
【図１】本発明に係る回路遮断器のオン状態の右側面図であり、（ａ）は右ケースを外した状態、（ｂ）はＡ部拡大図を示している。
【図２】図１のトリップ状態の右側面図であり、（ａ）は右ケースを外した状態、（ｂ）はＢ部拡大図である。
【図３】図１のオフ状態の右側面図である。
【図４】図１の斜視図である。
【図５】斜め後方から見た図１の回路遮断器の分解斜視図であり、引き外し板を外した状態を示している。
【図６】部品を取り外した状態の遮断器ケース（右ケース）の内側面図である。
【図７】図６の右ケースに引き外し板を組み付けた図であり、（ａ）は通電状態、（ｂ）は遮断動作状態の配置を示している。
【符号の説明】
【００２４】
１・・電源側端子、２・・負荷側端子、３・・操作ハンドル、５・・セパレータ、６・・開閉機構部、７・・電磁引き外し装置、９・・バイメタル片、１２・・引き外し板、１５・・遮断器ケース、２１・・第１係合部、２４・・遮断操作突起、２７・・案内突起（案内手段）、２８・・挟持壁（案内手段）、２９・・案内溝。３０・・端子金具。
【図１】
2008123807.tif 000003
【図２】
2008123807.tif 000004
【図３】
2008123807.tif 000005
【図４】
2008123807.tif 000006
【図５】
2008123807.tif 000007
【図６】
2008123807.tif 000008
【図７】
2008123807.tif 000009